(57)【要約】【課題】基板のスペースを有効に利用でき、しかもコンタクトのインピーダンス整合を行い易いコネクタを提供する。【解決手段】コネクタを第１のコネクタ部１と第２のコネクタ部２とで構成する。第１のコネクタ部１の第１ハウジング１１に、第１の機能拡張カード７の端子部７１を受け容れるとともに保持する受容孔１１ｄを形成する。第１ハウジング１１に第１の機能拡張カード７をプリント配線板９に導通させる複数のコンタクト１２，１３を設ける。第１ハウジング１１に第２の機能拡張カード８の後端部をロックする第１ロック装置１４を設ける。第２のコネクタ部２の第２ハウジング２１に、第２の機能拡張カード８の端子部８１を受け容れるとともに保持する受容孔２１ｄを形成する。第２ハウジング２１に第２の機能拡張カード８をプリント配線板９に導通させるコンタクト２２，２３を設ける。第２ハウジング２１に第１の機能拡張カード７の後端部をロックする第２ロック装置２４を設ける。【選択図】図１
2007329119.tif 000002
【特許請求の範囲】
【請求項１】
基板に実装され、所定の隙間を介して対向する２つのカード型電子装置のうちの一方のカード型電子装置を前記基板に電気的に接続する第１のコネクタ部と、
前記基板に実装され、前記２つのカード型電子装置のうちの他方のカード型電子装置を前記基板に電気的に接続する第２のコネクタ部とを備え、
前記第１のコネクタ部は、前記一方のカード型電子装置の先端部に設けられた第１端子部を前記基板に導通させる第１コンタクトと、この第１コンタクトを保持するとともに前記第１端子部を支持する第１ハウジングとを有し、
前記第２のコネクタ部は、前記他方のカード型電子装置の先端部に設けられた第２端子部を前記基板に導通させる第２コンタクトと、この第２コンタクトを保持するとともに前記第２端子部を支持する第２ハウジングとを有する
ことを特徴とするコネクタ。
【請求項２】
前記第１ハウジングに設けられ、前記他方のカード型電子装置の後端部を係止する第１ロック装置と、
前記第２ハウジングに設けられ、前記一方のカード型電子装置の後端部を係止する第２ロック装置とを有し、
前記第１ロック装置は、
前記第１のコネクタ部に支持された前記他方のカード型電子装置の後端部に係合する第１ロック部と、
前記第１ハウジングに設けられ、前記第１ロック部を前記他方のカード型電子装置の後端部へ付勢する第１ばね部と、
前記第１ハウジングに設けられ、前記第１ばね部と係合して前記基板の平面方向以外の方向へ前記第１ばね部が撓むのを規制する第１ガイド部とを有し、
前記第２ロック装置は、
前記第２のコネクタ部に支持された前記一方のカード型電子装置の後端部に係合する第２ロック部と、
前記第２ハウジングに設けられ、前記第２ロック部を前記一方のカード型電子装置の後端部へ付勢する第２ばね部と、
前記第２ハウジングに設けられ、前記第２ばね部と係合して前記基板の平面方向以外の方向へ前記第２ばね部が撓むのを規制する第２ガイド部とを有する
ことを特徴とする請求項１記載のコネクタ。
【請求項３】
前記２つのカード型電子装置の間に配置可能な導電性を有するプレートを備えていることを特徴とする請求項１又は２記載のコネクタ。
【請求項４】
前記第１ハウジングと前記第２ハウジングとのうちの一方のハウジングに、前記プレートが着脱可能に設けられていることを特徴とする請求項３記載のコネクタ。
【請求項５】
前記第１ハウジングと前記第２ハウジングとのうちの一方のハウジングに、前記プレートが回転可能に設けられていることを特徴とする請求項３又は４記載のコネクタ。
【請求項６】
前記プレートと前記基板のグランドパターンとを導通させる導通路を備えていることを特徴とする請求項３〜５のいずれか１項記載のコネクタ。
【発明の詳細な説明】
【技術分野】
【０００１】
この発明は複数のカード型電子装置をプリント基板に電気的に接続するためのコネクタに関する。
【背景技術】
【０００２】
従来、２つのハウジングと複数の導電ターミナルとを備えるカード用コネクタが知られている（下記特許文献１参照）。
【０００３】
２つのハウジングは、それぞれ別々に成形され、同形状である。各ハウジングは、基部と、この基部の両端からそれぞれ直角に連設された側部とを有している。各ハウジングの平面形状はコ字状である。２つのハウジングは、同じ方向に向けて積み重ねられ、２つのハウジングにオーバーモールド部を形成することによって一体化されている。
【０００４】
ハウジングの側部の先端にはラッチ片が一体に形成されている。ラッチ片はカード（カード型電子装置）の側縁部と係合し、カードを係止する。
【０００５】
複数の導電ターミナルは、２つのハウジングの基部に所定のピッチでそれぞれ配置されている。
【０００６】
各導電ターミナルはコンタクト部（接触部）と中間部とソルダーテールとを有する。コンタクト部はハウジングの基部に形成されたカード挿入孔に臨ませてある。中間部はコンタクト部とソルダーテールとを連結する。上段のハウジングの導電ターミナルの中間部は基部の外側面を出てから下段のハウジングの方に折り曲げられ、更に下段のハウジングの下面近くで基部の外側面から離れるように直角に折り曲げられている。この中間部の一端部にソルダーテールが形成されている。このソルダーテールはクランク状に折り曲げられている。下段のハウジングの導電ターミナルの中間部は基部の外側面を出てから基部の下面の方に折り曲げられ、基部の下面近くで再度基部に向かって直角に折り曲げられ、基部内を通って基部の内側面から突出する。この中間部の一端部にソルダーテールが形成されている。このソルダーテールはクランク状に折り曲げられている。
【０００７】
このコネクタにカードを装填するには、まず、所定の挿入角度で基部のカード挿入孔にカードの先端部を挿入する。
【０００８】
次に、挿入角度が小さくなるように、カードをその先端部を中心に回転させながら、その側縁部をラッチ片に係合させる。ラッチ片がカードの側縁部に係合すると、カードはロック状態になり、カードの装填作業が終了する。
【０００９】
これに対し、カードをコネクタから抜き取るには、ラッチ片とカードとの係合を解き、カードを装填作業時と反対方向へ上述の挿入角度とほぼ等しい角度だけ回転させ、その後、カードの先端部をカード挿入孔から引き抜けばよい。
【特許文献１】第３０２７０４９号登録実用新案公報（段落００１０、００１２、００１４参照）
【発明の開示】
【発明が解決しようとする課題】
【００１０】
上述のコネクタは、対向する２枚のカードを基板に接続できるので、高密度実装に有利である。
【００１１】
しかし、上述のコネクタでは、上段のハウジングに配置された導電ターミナルの中間部と下段のハウジングに配置された導電ターミナルの中間部とが互いに接近している。
【００１２】
このため、上段のハウジングに配置された導電ターミナルと下段のハウジングに配置された導電ターミナルとの間のインピーダンス整合を行い難いという問題がある。
【００１３】
この発明はこのような事情に鑑みてなされたもので、その課題は、基板のスペースを有効に利用でき、しかもコンタクトのインピーダンス整合を行い易いコネクタを提供することである。
【課題を解決するための手段】
【００１４】
前述の課題を解決するため請求項１の発明のコネクタは、基板に実装され、所定の隙間を介して対向する２つのカード型電子装置のうちの一方のカード型電子装置を前記基板に電気的に接続する第１のコネクタ部と、前記基板に実装され、前記２つのカード型電子装置のうちの他方のカード型電子装置を前記基板に電気的に接続する第２のコネクタ部とを備え、前記第１のコネクタ部は、前記一方のカード型電子装置の先端部に設けられた第１端子部を前記基板に導通させる第１コンタクトと、この第１コンタクトを保持するとともに前記第１端子部を支持する第１ハウジングとを有し、前記第２のコネクタ部は、前記他方のカード型電子装置の先端部に設けられた第２端子部を前記基板に導通させる第２コンタクトと、この第２コンタクトを保持するとともに前記第２端子部を支持する第２ハウジングとを有することを特徴とする。
【００１５】
上述のように第１のコネクタは、一方のカード型電子装置の第１端子部を支持する第１ハウジングと、この第１ハウジングに保持され第１端子部を基板に導通させる第１コンタクトとを有し、第２のコネクタは、他方のカード型電子装置の第２端子部を支持する第２ハウジングと、この第２ハウジングに保持され、第２端子部を基板に導通させる第２コンタクトとを有するので、２つのカード型電子装置は所定の隙間を介して対向した状態のまま第１及び第２のコネクタによって基板に接続される。
【００１６】
また、一方のカード型電子装置の第１端子部を基板に導通させる第１コンタクトは第１ハウジングに保持され、他方のカード型電子装置の第２端子部を基板に導通させる第２コンタクトは第２ハウジングに保持されているので、第１コンタクトと第２コンタクトとが離隔する。この結果、両コンタクト間のインピーダンス整合を行い易い。
【００１７】
請求項２の発明は、請求項１記載のコネクタにおいて、前記第１ハウジングに設けられ、前記他方のカード型電子装置の後端部を係止する第１ロック装置と、前記第２ハウジングに設けられ、前記一方のカード型電子装置の後端部を係止する第２ロック装置とを有し、前記第１ロック装置は、前記第１のコネクタ部に支持された前記他方のカード型電子装置の後端部に係合する第１ロック部と、前記第１ハウジングに設けられ、前記第１ロック部を前記他方のカード型電子装置の後端部へ付勢する第１ばね部と、前記第１ハウジングに設けられ、前記第１ばね部と係合して前記基板の平面方向以外の方向へ前記第１ばね部が撓むのを規制する第１ガイド部とを有し、前記第２ロック装置は、前記第２のコネクタ部に支持された前記一方のカード型電子装置の後端部に係合する第２ロック部と、前記第２ハウジングに設けられ、前記第２ロック部を前記一方のカード型電子装置の後端部へ付勢する第２ばね部と、前記第２ハウジングに設けられ、前記第２ばね部と係合して前記基板の平面方向以外の方向へ前記第２ばね部が撓むのを規制する第２ガイド部とを有することを特徴とする。
【００１８】
請求項３の発明は、請求項１又は２記載のコネクタにおいて、前記２つのカード型電子装置の間に配置可能な導電性を有するプレートを備えていることを特徴とする。
【００１９】
請求項４の発明は、請求項３記載のコネクタにおいて、前記第１ハウジングと前記第２ハウジングとのうちの一方のハウジングに、前記プレートが着脱可能に設けられていることを特徴とする。
【００２０】
請求項５の発明は、請求項３又は４記載のコネクタにおいて、前記第１ハウジングと前記第２ハウジングとのうちの一方のハウジングに、前記プレートが回転可能に設けられていることを特徴とする。
【００２１】
請求項６の発明は、請求項３〜５のいずれか１項記載のコネクタにおいて、前記プレートと前記基板のグランドパターンとを導通させる導通路を備えていることを特徴とする。
【発明の効果】
【００２２】
この発明によれば、基板のスペースを有効に利用でき、しかもコンタクトのインピーダンス整合を行い易い。
【発明を実施するための最良の形態】
【００２３】
以下、この発明の実施の形態を図面に基づいて説明する。
【００２４】
図１はこの発明の第１実施形態に係るカード用コネクタに第１及び第２の機能拡張カードを装填した状態を示す斜視図、図２は図１と同じ状態を示す断面図、図３は図１に示すカード用コネクタの平面図、図４は図１に示すカード用コネクタの第１のコネクタ部の斜視図、図５は図１に示すカード用コネクタの第２のコネクタ部の一部の斜視図、図６は図１に示す第１のコネクタ部に第１の機能拡張カードの先端部を挿入した状態を示す斜視図、図７は図６と同じ状態を示す断面図、図８は図１に示すカード用コネクタの第２のコネクタ部に第１の機能拡張カードの後端部を係止した状態を示す斜視図、図９は図８と同じ状態を示す断面図、図１０は図１に示すカード用コネクタの第２のコネクタ部に第２の機能拡張カードの先端部を挿入した状態を示す斜視図、図１１は図１０と同じ状態を示す断面図である。
【００２５】
図１〜５に示すように、このカード用コネクタ（コネクタ）は、第１の機能拡張カード（一方のカード型電子装置）７と第２の機能拡張カード（他方のカード型電子装置）８とを所定の隙間を介して対向させてプリント配線板（基板）９に電気的に接続するためのコネクタであり、プリント配線板９に実装されている。
【００２６】
第１の機能拡張カード７の先端部には端子部（第１端子部）７１が設けられている。端子部７１の上下面には複数の端子（図示せず）が設けられている。第１の機能拡張カード７の後端部の両角部の上下面にはそれぞれ凹部７２，７３が形成され、これらは薄肉部７４を介して表裏の位置関係にある（図６、７参照）。凹部７２は後述のロック装置２４を受け容れ、凹部７３は後述の支持板２１ｂを受け容れる。薄肉部７４には位置決め孔７４ａが形成されている。
【００２７】
第２の機能拡張カード８の規格は第１の機能拡張カード７の規格と同一であり、第２の機能拡張カード８の外形は第１の機能拡張カード７の外形と同じである。したがって、第２の機能拡張カード８は第１の機能拡張カード７と同様に端子部（第２端子部）８１と凹部８２，８３と薄肉部８４とを有する（図１０、１１参照）。端子部８１の上下面には複数の端子（図示せず）が設けられている。凹部８２は後述のロック装置１４を受け容れ、凹部８３は後述の支持板１１ｂを受け容れる。薄肉部８４には位置決め孔８４ａが形成されている。
【００２８】
このカード用コネクタは第１のコネクタ部１と第２のコネクタ部２とを備える。
【００２９】
第１のコネクタ部１は第１ハウジング１１と複数の上側コンタクト（第１コンタクト）１２と複数の下側コンタクト（第１コンタクト）１３と第１ロック装置１４とを備え、第１の機能拡張カード７をプリント配線板９に電気的に接続する。
【００３０】
第１ハウジング１１はハウジング本体１１ａと支持板１１ｂ（第１支持部）と側壁１１ｃと有する。
【００３１】
ハウジング本体１１ａの下部（プリント配線板９側の部分）には第１の機能拡張カード７の端子部７１を受け容れる受容孔１１ｄが形成されている。また、ハウジング本体１１ａには第１の機能拡張カード７の誤嵌合を防止するためのキー１１ｅが形成されている。支持板１１ｂはハウジング本体１１ａの正面に形成され、図１において受容孔１１ｄの上方に位置している。支持板１１ｂは第２の機能拡張カード８の薄肉部８４を支持する。支持板１１ｂの上面には位置決め用ボス１１ｆが設けられている。位置決め用ボス１１ｆは薄肉部８４の位置決め孔８４ａに挿入される。側壁１１ｃはハウジング本体１１ａの側面に設けられている。側壁１１ｃの下面には位置決め用ピン１１ｇが形成されている。位置決め用ピン１１ｇはプリント配線板９の位置決め孔９１に挿入される。
【００３２】
複数の上側コンタクト１２はハウジング本体１１ａに等間隔に配置されている。上側コンタクト１２はばね部１２ａと端子部１２ｂと連結部１２ｃと圧入部１２ｄと接点１２ｅとを有する。
【００３３】
ばね部１２ａはほぼ帯状であり、その先端部は受容孔１１ｄに臨んでいる。端子部１２ｂはハウジング本体１１ａの背面側へ露出し、プリント配線板９のパッド（図示せず）に半田付けされる。連結部１２ｃはほぼ帯状であり、ばね部１２ａと端子部１２ｂとを連結している。圧入部１２ｄの一端は連結部１２ｃに結合され、圧入部１２ｄの他端部はハウジング本体１１ａに圧入されている。接点１２ｅはばね部１２ａの先端に結合されている。接点１２ｅはばね部１２ａによって受容孔１１ｄに挿入された第１の機能拡張カード７の端子部７１の上面にある端子に押し付けられる。
【００３４】
複数の下側コンタクト１３は第２のコネクタ部２の後述する下側コンタクト２３と同様の構成であり、ハウジング本体１１ａに等間隔に配置されている。下側コンタクト１３はばね部１３ａと端子部１３ｂと連結部（図示せず）と圧入部（図示せず）と接点１３ｅとを有する。
【００３５】
ばね部１３ａの先端部は受容孔１１ｄ内に位置する。端子部１３ｂはハウジング本体１１ａの正面側へ露出し、プリント配線板９のパッド（図示せず）に半田付けされる。連結部はばね部１３ａと端子部１３ｂとを連結している。圧入部は連結部に連結され、ハウジング本体１１ａに圧入されている。接点１３ｅはばね部１３ａの先端に連結されている。接点１３ｅはばね部１３ａによって受容孔１１ｄに挿入された第１の機能拡張カード７の端子部７１の下面にある端子に押し付けられる。
【００３６】
ロック装置１４は一対のロック部材１４Ａ，１４Ａ´で構成されている。
【００３７】
ロック部１４Ａは一枚の金属板に打抜き加工及び曲げ加工を施すことによって形成されている。ロック部材１４Ａはアーム部１４ａとばね部１４ｂとロック部１４ｃとガイド部１４ｄとを有する。アーム部１４ａはほぼ帯状であり、第１ハウジング１１に固定されている。ばね部１４ｂはほぼ帯状であり、その一端はアーム部１４ａに連結されている。ばね部１４ｂは複数の上側コンタクト１２の配置方向に沿って揺動する。ロック部１４ｃはほぼＬ字形であり、ばね部１４ｂの他端部に連結されている。ロック部１４ｃは第２の機能拡張カード８の薄肉部８４に係合する。ロック部１４ｃは薄肉部８４との係合が容易に解けないようにばね部１４ｂによって付勢されている。また、ロック部１４ｃはばね部１４ｂとともに第２の機能拡張カード８の後端部が持ち上がるのを阻止する。ガイド部１４ｄは図面には現れない部分でアーム部１４ａに連結されている。ガイド部１４ｄは窓孔１４ｅを有する。窓孔１４ｅにはばね部１４ｂの他端部が挿入されている。ガイド部１４ｄの窓孔１４ｅはばね部１４ｂの他端部を上側コンタクト１２の配置方向へガイドし、ばね部１４ｂが上側コンタクト１２の配置方向と異なる方向へ動くのを阻止する。
【００３８】
ロック部１４Ａ´の構成はロック部１４Ａの構成と同様であるので、ロック部１４Ａと同様の構成部分にはロック部１４Ａと同じ参照符号を付してその説明を省略する。
【００３９】
第２のコネクタ部２は第２ハウジング２１と複数の上側コンタクト（第２コンタクト）２２と複数の下側コンタクト（第２コンタクト）２３と第２ロック装置２４とを備え、第２の機能拡張カード８をプリント配線板９に電気的に接続する。
【００４０】
第２ハウジング２１はハウジング本体２１ａと支持板２１ｂ（第２支持部）と側壁２１ｃと有する。
【００４１】
ハウジング本体２１ａの上部（プリント配線板９側と反対側の部分）には第２の機能拡張カード８の端子部８１を受け容れる受容孔２１ｄが形成されている。また、ハウジング本体２１には第２の機能拡張カード８の誤嵌合を防止するためのキー２１ｅが形成されている（図３参照）。支持板２１ｂはハウジング本体２１ａの正面に形成され、図１において受容孔２１ｄの下方に位置している。支持板２１ｂは第１の機能拡張カード７の薄肉部７４を支持する。支持板２１ｂの上面には位置決め用ボス２１ｆが設けられている。位置決め用ボス２１ｆは薄肉部７４の位置決め孔７４ａに挿入される。支持板２１ｂの下面には位置決め用ピン２１ｇが形成されている。位置決め用ピン２１ｇはプリント配線板９の位置決め孔９２に挿入される。側壁２１ｃはハウジング本体２１ａの側面に設けられている。
【００４２】
複数の上側コンタクト２２は第１のコネクタ部１の上側コンタクト１２と同様の構成であり、ハウジング本体２１ａに等間隔に配置されている（図２参照）。上側コンタクト２２はばね部（図示せず）と端子部２２ｂと結合部２２ｃと圧入部（図示せず）と接点２２ｅとを有する。
【００４３】
ばね部の先端部は受容孔２１ｄ内に位置する。端子部２２ｂはハウジング本体２１ａの背面側へ露出し、プリント配線板９のパッド（図示せず）に半田付けされる。連結部２２ｃはばね部と端子部２２ｂとを連結している。圧入部の一端は連結部２２ｃに連結され、圧入部の他端部はハウジング本体２１ａに圧入されている。接点２２ｅはばね部の先端に連結されている。接点２２ｅは受容孔２１ｄに挿入された第２の機能拡張カード８の端子部８１の上面にある端子にばね部によって押し付けられる。
【００４４】
複数の下側コンタクト２３はハウジング本体２１ａに等間隔に配置されている。下側コンタクト２３はばね部２３ａと端子部２３ｂと結合部２３ｃと圧入部２３ｄと接点２３ｅとを有する。
【００４５】
ばね部２３ａはＳ字状であり、その先端部は受容孔２１ｄ内に位置する。端子部２３ｂはハウジング本体２１ａの正面側へ露出し、プリント配線板９のパッド（図示せず）に半田付けされる。連結部２３ｃはＬ字状であり、ばね部２３ａと端子部２３ｂとを連結している。圧入部２３ｄはばね部２３ａと連結部２３ｃとの連結部分に連結され、ハウジング本体２１ａに圧入されている。接点２３ｅはばね部２３ａの先端に連結されている。接点２３ｅは受容孔２１ｄに挿入された第２の機能拡張カード８の端子部８１の下面にある端子にばね部２３ａによって押し付けられる。
【００４６】
ロック装置２４は一対のロック部材２４Ａ，２４Ａ´で構成されている（図１、３参照）。
【００４７】
ロック部２４Ａは一枚の金属板に打抜き加工及び曲げ加工を施すことによって形成されている。ロック部材２４Ａはアーム部２４ａとばね部２４ｂとロック部２４ｃとガイド部２４ｄとを有する。アーム部２４ａはほぼ帯状であり、第２ハウジング２１に固定されている。ばね部２４ｂはほぼ帯状であり、その一端はアーム部２４ａに連結されている。ばね部２４ｂは複数の下側コンタクト２３の配置方向に沿って揺動する。ロック部２４ｃはほぼＬ字形であり、ばね部２４ｂの他端部に連結されている。ロック部２４ｃは第１の機能拡張カード７の薄肉部７４に係合する。ロック部２４ｃは薄肉部７４との係合が容易に解けないようにばね部２４ｂによって付勢されている。また、ロック部２４ｃはばね部２４ｂとともに第１の機能拡張カード７の後端部が持ち上がるのを阻止する。ガイド部２４ｄは図面には現れない部分でアーム部２４ａに連結されている。ガイド部２４ｄは窓孔２４ｅを有する。窓孔２４ｅにはばね部２４ｂの他端部が挿入されている。ガイド部２４ｄの窓孔２４ｅはばね部２４ｂの他端部を下側コンタクト２３の配置方向へガイドし、ばね部２４ｂが下側コンタクト２３の配置方向と異なる方向へ動くのを阻止する。
【００４８】
ロック部２４Ａ´の構成はロック部２４Ａの構成と同様であるので、ロック部２４Ａと同様の構成部分にはロック部２４Ａと同じ参照符号を付してその説明を省略する。
【００４９】
次に、カード用コネクタの使用方法について説明する。
【００５０】
まず、第１のコネクタ部１及び第２のコネクタ部２をプリント配線板９の所定位置に実装する。
【００５１】
次に、図６、７に示すように、第１の機能拡張カードの端子部７１を第１のコネクタ部１の受容孔１１ｄに挿入する。このとき、端子部７１が正しく受容孔１１ｄに挿入されれば、キー１１ｅが端子部７１に形成された切欠き（図示せず）に相対的に挿入され、端子部７１は受容孔１１ｄの奥まで挿入される。端子部７１が正しく受容孔１１ｄに挿入されなければ、端子部７１はキー１１ｅに突き当たって受容孔１１ｄの奥まで挿入されず、第１の機能拡張カード７の誤嵌合が防止される。
【００５２】
その後、第１の機能拡張カード７の端子部７１を中心にして第１の機能拡張カード７を時計回りへ回転させる。このとき、第１の機能拡張カード７の位置決め孔７４ａに第２のコネクタ２の位置決め用ボス２１ｆを挿入する。これにより、第１の機能拡張カード７が位置決めされる。
【００５３】
第１の機能拡張カード７の位置決め孔７４ａに第２のコネクタ２の位置決め用ボス２１ｆが挿入されると、図８、９に示すように、第２のコネクタ部２の第２ロック装置２４のロック部２４ｃが第１の機能拡張カード７の薄肉部７４に係合し、第１の機能拡張カード７がロックされる。
【００５４】
この結果、第１の機能拡張カード７は第１及び第２のコネクタ部１，２によって保持されるとともに、第１の機能拡張カード７の端子部７１の端子は第１のコネクタ１の上側コンタクト１２及び下側コネクタ１３を通じてプリント配線板９に電気的に接続される。
【００５５】
第１の機能拡張カード７が第１及び第２のコネクタ部１，２に保持されているとき、第１の機能拡張カード７の後端部を持ち上げる外力が第１の機能拡張カード７に加わっても、ばね部２４ｂ及びロック部２４ｃの持上がりがガイド部２４ｄによって阻止される。
【００５６】
次に、図１０、１１に示すように、第２の機能拡張カードの端子部８１を第２のコネクタ部２の受容孔２１ｄに挿入する。このとき、端子部８１が正しく受容孔２１ｄに挿入されれば、キー２１ｅが端子部８１に形成された切欠き（図示せず）に相対的に挿入され、端子部８１は受容孔２１ｄの奥まで挿入される。端子部８１が正しく受容孔２１ｄに挿入されなければ、端子部８１はキー２１ｅに突き当たって受容孔２１ｄの奥まで挿入されず、第２の機能拡張カード８の誤嵌合が防止される。
【００５７】
その後、第２の機能拡張カード８の端子部８１を中心にして第２の機能拡張カード８を反時計回りへ回転させる。このとき、第２の機能拡張カード８の位置決め孔８４ａに第１のコネクタ１の位置決め用ボス１１ｆを挿入する。これにより、第２の機能拡張カード８が位置決めされる。
【００５８】
第２の機能拡張カード８の位置決め孔８４ａに第１のコネクタ１の位置決め用ボス１１ｆが挿入されると、図１、２に示すように、第１のコネクタ部１の第１ロック装置１４のロック部１４ｃが第２の機能拡張カード８の薄肉部８４に係合し、第２の機能拡張カード８がロックされる。
【００５９】
この結果、第２の機能拡張カード８は第１及び第２のコネクタ部１，２によって保持されるとともに、第２の機能拡張カード８の端子部８１の端子は第２のコネクタ２の上側コンタクト２２及び下側コンタクト２３を通じてプリント配線板９に電気的に接続される。
【００６０】
第２の機能拡張カード８が第１及び第２のコネクタ１，２に保持されているとき、第２の機能拡張カード８の後端部を持ち上げる外力が第２の機能拡張カード８に加わっても、ばね部１４ｂ及びロック部１４ｃの持上がりがガイド部１４ｄによって阻止される。
【００６１】
次に、カード用コネクタから第１及び第２の機能拡張カード７，８を外す作業について説明する。
【００６２】
まず、第２の機能拡張カード８を外すには、第１のコネクタ部１の第１ロック部１４のロック部１４ｃを図３において、左右両側に押し広げて第２の機能拡張カード８の薄肉部８４から外す。
【００６３】
次に、図１０、１１に示すように、第２の機能拡張カード８の端子部８１を中心にして第２の機能拡張カード８を時計周りへ回転させ、その後、第２の機能拡張カード８を受容孔２１ｄから引き抜く。
【００６４】
第１の機能拡張カード７を外すには、第２のコネクタ部２の第２ロック部２４のロック部２４ｃを図３において、左右両側に押し広げて第１の機能拡張カード７の薄肉部７４から外す。
【００６５】
次に、図６、７に示すように、第１の機能拡張カード７の端子部７１を中心にして第１の機能拡張カード７を反時計周りへ回転させ、その後、第１の機能拡張カード７を受容孔１１ｄから引き抜く。
【００６６】
この実施形態によれば、２つの機能拡張カード７，８は対向した状態のままプリント配線板９に接続でき、プリント配線板９のスペースを有効に利用できるとともにコンタクト１２，１３とコンタクト２２，２３とを離隔配置でき、コンタクト１２，１３と２２，２３とのインピーダンス整合を行い易い。
【００６７】
また、ガイド部１４ｄ，２４ｄによって、ロック部１４ｃ，２４ｃが機能拡張カード７，８の薄肉部７４，８４から容易に外れるのを防止することができるとともに、プリント配線板９の平面方向以外の方向へのばね部１４ｂ，２４ｂの撓みが規制されるので、ばね部１４ｂ，２４ｂの変形を防止できる。
【００６８】
図１２はこの発明の第２実施形態に係るカード用コネクタに第１及び第２の機能拡張カードを装填した状態を示す断面図、図１３は図１２に示すコネクタにグランドプレートを装着するときの状態を示し、図１３Ａはグランドプレートを第１コネクタ上に配置した状態を示す斜視図、図１３Ｂはシャフトをハウジングの溝に挿入した状態を示す斜視図、図１３Ｃはグランドプレートを基板の方へ回転させた状態を示す斜視図、図１３Ｄは図１３ＣのＤ部の拡大図である。第１実施形態と共通する部分については同一符号を付してその説明を省略する。以下、主な相違部分についてだけ説明する。
【００６９】
図１２に示すように、第２実施形態に係るコネクタでは、第１のコネクタ部１にグランドプレート（プレート）３１が設けられている。第１、第２の機能拡張カード７，８が第１、第２のコネクタ１，２によってプリント配線板９に電気的に接続されているとき、グランドプレート３１は第１の機能拡張カード７と第２の機能拡張カード８との間に介在する。
【００７０】
グランドプレート３１は導電性を有する金属板である。グランドプレート３１の面積は第１及び第２の機能拡張カード７，８の面積とほぼ等しい。グランドプレート３１の一端部には１対の円筒状のシャフト保持部３１ａが形成されている。１対のシャフト保持部３１ａにはシャフト３２が通されて保持されている。また、グランドプレート３１の一端部にはシャフト保持部３１ａに隣接する切欠３１ｂが形成されている。グランドプレート３１の他端部には１対のタブ３１ｃが形成されている。
【００７１】
第１ハウジング１１の１対の支持板１１ｂには、シャフト３２の端部を回転可能に支持する溝１１ｈが形成されている。シャフト３２の端部は溝１１ｈに対して着脱可能である。溝１１ｈにシャフト３２を装着したとき、グランドプレート３１を第１のコネクタ部１に対して回転させることができる。また、グランドプレート３１を第１のコネクタ部１から外すこともできる。また、第１ハウジング１１には、シャフト３２を介してグランドプレート３１をプリント配線板９のグランドパターン（図示せず）に導通させるための導通路（図示せず）が形成されている。
【００７２】
グランドプレート３１を第１のコネクタ部１に装着するには、図１３Ａに示すように、まず、第１の機能拡張カード７を第１のコネクタ部１に接続する。
【００７３】
次に、第１のコネクタ部１の支持板１１ｂの溝１１ｈにシャフト３２を挿入する。
【００７４】
その後、グランドプレート３１の自由端が第２のコネクタ部２の方へ向かうように、シャフト３２を中心にしてグランドプレート３１を回転させる。
【００７５】
グランドプレート３１を第２のコネクタ部２の方へ回転させると、図１３Ｃに示すように、第１の機能拡張カード７はグランドプレート３１によって覆われる。また、このとき、図１３Ｄに示すように、グランドプレート３１の切欠３１ｂによって第１のコネクタ部１の支持板１１ｂとグランドプレート３１との干渉が避けられる。
【００７６】
また、グランドプレート３１が第１の機能拡張カード７と平行になったとき、グランドプレート３１のタブ３１ｃが第２のコネクタ部２の第２ハウジング２１に形成された段差面２１ｉに突き当たり、グランドプレート３１の回転が止まる。
【００７７】
その後、第２のコネクタ部２に第２の機能拡張カード８を接続すれば、第１の機能拡張カード７と第２の機能拡張カード８との間にグランドプレート３１が介在することになる。
【００７８】
第２実施形態によれば、第１実施形態と同様の作用効果を奏するとともに、第１、第２の機能拡張カード７，８の間にグランドプレート３１が介在するので、ノイズの影響をより確実に排除することができる。
【００７９】
なお、上述の実施形態では、第１コンタクトとして上側コンタクト１２及び下側コンタクト１３が第１ハウジング１１に設けられ、第２コンタクトとして上側コンタクト２２及び下側コンタクト２３が第２ハウジング２１に設けられているが、カード型電子装置の種類によっては、上側コンタクト１２，２２と下側コンタクト１３，２３とのどちらか一方のコンタクトだけで足りる。
【００８０】
また、上述の実施形態のカード用コネクタは機能拡張カード７，８用であるが、この発明は機能拡張カード用に限られず、メモリカード等のカード型電子装置用のコネクタとして用いることもできる。
【００８１】
なお、第２実施形態では、グランドプレート３１を第１のコネクタ部１に対して回転可能かつ着脱可能に設けたが、グランドプレート３１を第１のコネクタ部１に対して単に回転可能に設けてもよいし、グランドプレート３１を第１のコネクタ部１に対して単に着脱可能に設けてもよい。
【００８２】
また、第２実施形態では、グランドプレート３１を第１のコネクタ部１に設けたが、グランドプレート３１を第２のコネクタ部２に設けてもよい。
【００８３】
なお、第２実施形態では、グランドプレート３１をプリント配線板９のグランドパターンに導通させたが、両機能拡張カード７，８の間に介在させるプレートを接地させなくともよい。
【図面の簡単な説明】
【００８４】
【図１】図１はこの発明の第１実施形態に係るカード用コネクタに第１及び第２の機能拡張カードを装填した状態を示す斜視図である。
【図２】図２は図１と同じ状態を示す断面図である。
【図３】図３は図１に示すカード用コネクタの平面図である。
【図４】図４は図１に示すカード用コネクタの第１のコネクタ部の斜視図である。
【図５】図５は図１に示すカード用コネクタの第２のコネクタ部の一部の斜視図である。
【図６】図６は図１に示す第１のコネクタ部に第１の機能拡張カードの先端部を挿入した状態を示す斜視図である。
【図７】図７は図６と同じ状態を示す断面図である。
【図８】図８は図１に示すカード用コネクタの第２のコネクタ部に第１の機能拡張カードの後端部を係止した状態を示す斜視図である。
【図９】図９は図８と同じ状態を示す断面図である。
【図１０】図１０は図１に示すカード用コネクタの第２のコネクタ部に第２の機能拡張カードの先端部を挿入した状態を示す斜視図である。
【図１１】図１１は図１０と同じ状態を示す断面図である。
【図１２】図１２はこの発明の第２実施形態に係るカード用コネクタに第１及び第２の機能拡張カードを装填した状態を示す断面図である。
【図１３Ａ】図１３Ａはグランドプレートを第１コネクタ上に配置した状態を示す斜視図である。
【図１３Ｂ】図１３Ｂはシャフトをハウジングの溝に挿入した状態を示す斜視図である。
【図１３Ｃ】図１３Ｃはグランドプレートを基板の方へ回転させた状態を示す斜視図である。
【図１３Ｄ】図１３Ｄは図１３ＣのＤ部の拡大図である。
【符号の説明】
【００８５】
１  第１のコネクタ部
１１  第１ハウジング
１１ｄ  受容孔
１２  上側コンタクト（第１コンタクト）
１３  下側コンタクト（第１コンタクト）
１４  第１ロック装置
１４ｂ  ばね部（第１ばね部）
１４ｃ  ロック部（第１ロック部）
１４ｄ  ガイド部（第１ガイド部）
２  第２のコネクタ部
２１  第２ハウジング
２１ｄ  受容孔
２２  上側コンタクト（第２コンタクト）
２３  下側コンタクト（第２コンタクト）
２４  第１ロック装置
２４ｂ  ばね部（第２ばね部）
２４ｃ  ロック部（第２ロック部）
２４ｄ  ガイド部（第２ガイド部）
７  第１の機能拡張カード（カード型電子装置）
７１  端子部（第１端子部）
７４  薄肉部
８  第２の機能拡張カード（カード型電子装置）
８１  端子部（第２端子部）
８４  薄肉部
９  プリント配線板（基板）
３１  グランドプレート（プレート）
【図１】
2007329119.tif 000003
【図２】
2007329119.tif 000004
【図３】
2007329119.tif 000005
【図４】
2007329119.tif 000006
【図５】
2007329119.tif 000007
【図６】
2007329119.tif 000008
【図７】
2007329119.tif 000009
【図８】
2007329119.tif 000010
【図９】
2007329119.tif 000011
【図１０】
2007329119.tif 000012
【図１１】
2007329119.tif 000013
【図１２】
2007329119.tif 000014
【図１３Ａ】
2007329119.tif 000015
【図１３Ｂ】
2007329119.tif 000016
【図１３Ｃ】
2007329119.tif 000017
【図１３Ｄ】
2007329119.tif 000018